(57)【要約】【課題】コンクリート打設の衝撃によってアンカー部材が所定の位置より多少ずれた場合であっても、鉄骨柱のベースプレートとアンカー部材とを連結し易く、施工性の良い鉄骨柱の固定方法を提供すること。【解決手段】コンクリート構造物２において、予め、鉄骨柱３のベースプレート４の設置予定箇所の外側にアンカー部材６が位置するように、アンカー部材６をコンクリート構造物２に埋設する工程、鉄骨柱３のベースプレート４を、アンカー部材６と干渉しないようにコンクリート構造物２上に載置する工程、及び、鉄骨柱３のベースプレート４と、アンカー部材６の露出部６ａとを連結部材８を介して連結する工程、を有する鉄骨柱の固定方法。【選択図】図２
2009287212.tif 000002
【特許請求の範囲】
【請求項１】
端部にベースプレートを備える鉄骨柱を、コンクリート構造物上に設置して、
前記鉄骨柱のベースプレートと、前記コンクリート構造物に埋設したアンカー部材の露出部とを連結することによって、前記鉄骨柱を前記コンクリート構造部上に立設させて固定する鉄骨柱の固定方法であって、
前記コンクリート構造物において、予め、前記鉄骨柱のベースプレートの設置予定箇所の外側に前記アンカー部材が位置するように、前記アンカー部材を前記コンクリート構造物に埋設する工程、
前記鉄骨柱のベースプレートを、前記アンカー部材の他端露出部と干渉しないように前記コンクリート構造物上に載置する工程、及び
前記鉄骨柱のベースプレートと、前記アンカー部材の露出部とを連結部材を介して連結する工程、
を有する鉄骨柱の固定方法。
【請求項２】
端部にベースプレートを備える鉄骨柱を、コンクリート構造物上に設置して、
前記鉄骨柱のベースプレートと、前記コンクリート構造物に埋設したアンカー部材の露出部とを連結することによって、前記鉄骨柱が、前記コンクリート構造部上に立設して固定される鉄骨柱の固定構造であって、
前記アンカー部材の露出部が、前記鉄骨柱のベースプレートの外側に位置しており、前記鉄骨柱のベースプレートと、前記アンカー部材の露出部とが連結部材を介して連結されている鉄骨柱の固定構造。
【発明の詳細な説明】
【技術分野】
【０００１】
本発明は、端部にベースプレートを備える鉄骨柱を、コンクリート構造物上に設置して、前記鉄骨柱のベースプレートと、前記コンクリート構造物に埋設したアンカー部材の露出部とを連結することによって、前記鉄骨柱を前記コンクリート構造部上に立設させて固定する鉄骨柱の固定方法及び固定構造に関する。
【背景技術】
【０００２】
従来の技術としては、例えば、図６（ａ）及び（ｂ）に示されるように、アンカー部材１２が、基礎天端面２ａにおける鉄骨柱３のベースプレート４の設置予定箇所（当該設置予定箇所には、水平モルタル層１５が設けられている）に、その雄ねじ部１２ａを上方に露出させた状態で設けられている基礎２（コンクリート構造物）において、アンカー部材１２の雄ねじ部１２ａを、鉄骨柱３のベースプレート４のアンカー貫通孔１３に挿通させた後、ナット１４を雄ねじ部１２ａに螺合して、鉄骨柱３のベースプレート４を、水平モルタル層１５上に締結固定することによって、鉄骨柱３のベースプレート４とアンカー部材１２とを連結する構成が知られている（例えば、特許文献１参照）。
【０００３】
【特許文献１】特開２００３−１８４１７２号公報
【発明の開示】
【発明が解決しようとする課題】
【０００４】
しかしながら、上記従来技術によれば、基礎２を構築する際のコンクリート打設の衝撃によって、アンカー部材１２が所定の位置から少しでもずれると、鉄骨柱３のベースプレート４を、コンクリート構造物２上の設置予定箇所に設置したとき、アンカー部材１２の雄ねじ部１２ａを、鉄骨柱３のベースプレート４の貫通孔１３に挿通させ難くなり、ベースプレート４とアンカー部材１２との連結が困難となる場合がある。
そのため、従来技術においては、コンクリート構造物におけるアンカー部材の高い配置精度が要求されており、施工性を向上させるという点で改善の余地があった。
【０００５】
本発明は、上記実情に鑑みてなされたものであって、コンクリート打設の衝撃によってアンカー部材が所定の位置より多少ずれた場合であっても、鉄骨柱のベースプレートとアンカー部材とを連結し易く、施工性の良い鉄骨柱の固定方法及び固定構造を提供するものである。
【課題を解決するための手段】
【０００６】
上記の目的を達成するため、本発明のうちの請求項１に記載の鉄骨柱の固定方法の発明では、
端部にベースプレートを備える鉄骨柱を、コンクリート構造物上に設置して、
前記鉄骨柱のベースプレートと、前記コンクリート構造物に埋設したアンカー部材の露出部とを連結することによって、前記鉄骨柱を前記コンクリート構造部上に立設させて固定する鉄骨柱の固定方法であって、
前記コンクリート構造物において、予め前記鉄骨柱のベースプレートの設置予定箇所の外側に、前記アンカー部材の露出部が位置するように、前記アンカー部材を前記コンクリート構造物と一体化する工程、
前記鉄骨柱のベースプレートを、前記アンカー部材と干渉しないように前記コンクリート構造物上に載置する工程、及び
前記鉄骨柱のベースプレートと、前記アンカー部材の露出部とを連結部材を介して連結する工程、
を有することを特徴とする。
【０００７】
〔作用及び効果〕
本発明によれば、コンクリート打設の衝撃によってアンカー部材が所定位置より多少ずれても、当該アンカー部材の露出部が、ベースプレートの設置予定箇所の外側に位置していれば、連結部材を介して、鉄骨柱のベースプレートとアンカー部材とを連結することが可能である。
そのため、従来の鉄骨柱の固定方法とは異なり、コンクリート構造物におけるアンカー部材の高い配置精度は要求されず、施工性が良い。
【０００８】
本発明のうちの請求項２に記載の鉄骨柱の固定構造の発明では、
端部にベースプレートを備える鉄骨柱を、コンクリート構造物上に設置して、
前記鉄骨柱のベースプレートと、前記コンクリート構造物に埋設したアンカー部材の露出部とを連結することによって、前記鉄骨柱が、前記コンクリート構造部上に立設して固定される鉄骨柱の固定構造であって、
前記アンカー部材の露出部が、前記鉄骨柱のベースプレートの外側に位置しており、前記鉄骨柱のベースプレートと、前記アンカー部材の露出部とが連結部材を介して連結されている点にある。
【０００９】
〔作用及び効果〕
本発明においては、アンカー部材の露出部が、ベースプレートの外側に位置しており、柱鉄骨のベースプレートと、アンカー部材の露出部とが連結部材を介して連結されている。
そのため、従来の鉄骨柱の固定構造とは異なり、コンクリート構造物におけるアンカー部材の高い配置精度は要求されず、施工性が良い。
【発明を実施するための最良の形態】
【００１０】
以下に本発明の実施の形態を図面に基づいて説明する。
〔実施形態〕
（鉄骨柱の固定構造）
図１は、本発明に係る鉄骨柱の固定構造１を模式的に示した一部切り欠き斜視図である。
図２（ａ）及び（ｂ）はそれぞれ、本発明に係る鉄骨柱の固定構造１を模式的に示した横断平面図（ａ）及び縦断側面図（ｂ）である（尚、縦断側面図（ｂ）は、横断平面図（ａ）の矢視線ＩＩｂにおける縦断側面図である）。
【００１１】
図１及び図２に示されるように、本発明の鉄骨柱の固定構造１は、非埋め込み型であり、コンクリートＣを打設して構築された基礎２（コンクリート構造物の一例）、基礎２の天端面２ａ上に立設して固定される鉄骨柱３、基礎２に一端が埋設されており他端が鉄骨柱３側に露出している複数のアンカー鉄筋６（アンカー部材の一例）、及び矩形平板状の連結用プレート８（連結部材の一例）を備えて構成されている。
【００１２】
図２（ａ）に示されるように、鉄骨柱３は、水平断面形状が略十字形のウェブ３ａと、このウェブ３ａの各辺の先端に設けられたフランジ３ｂとを有しており、平面視で正八角形を有するベースプレート４が端部に溶接固定されている。
図２（ｂ）に示されるように、ベースプレート４には、複数の貫通孔４ａが設けられており、各貫通孔４ａには、鉄骨柱３のベースプレート４と基礎２とを仮留めするための後施工アンカー７が設けられている。
【００１３】
図２（ｂ）に示されるように、鉄骨柱３は、基礎２の天端面２ａに設けられた水平モルタル層１５上に立設されており（鉄骨柱３のベースプレート４は、水平モルタル層１５上に載置される）、図２（ａ）に示されるように、アンカー鉄筋６の露出部６ａは、平面視において鉄骨柱３のベースプレート４の外側に配置されている。
図２（ａ）及び（ｂ）に示されるように、鉄骨柱３のベースプレート４、及びアンカー鉄筋６の露出部６ａはそれぞれ、矩形平板状の連結用プレート８（連結部材の一例）の下端部８ａ及び側面部８ｂに溶接されており、鉄骨柱３のベースプレート４と、アンカー鉄筋６の露出部６ａとが連結用プレート８を介して連結されている。
【００１４】
また、図１及び図２に示されるように、鉄骨柱３の周囲には、複数の柱主筋５が配筋されており、コンクリートＣを打設することによって、鉄骨鉄筋コンクリート柱１１が構築されている。
【００１５】
以上より、本発明に係る鉄骨柱の固定構造１においては、アンカー鉄筋６の露出部６ａが、鉄骨柱３のベースプレート４の外側に位置しており、柱鉄骨３のベースプレート４と、アンカー鉄筋６の露出部６ａとが、連結用プレート８を介して連結されるため、従来の鉄骨柱の固定構造とは異なり、コンクリート構造物（基礎２）におけるアンカー部材（アンカー鉄筋６）の高い配置精度は要求されず、施工性が良い。
【００１６】
（鉄骨柱の固定方法）
次に、本発明に係る鉄骨柱の固定方法について以下に説明する。
図３〜図５は、本発明に係る鉄骨柱の固定方法を模式的に示した斜視図であり、図３、図４、図５の順に実施される。
【００１７】
本発明に係る鉄骨柱の固定方法の実施形態として、基礎２上に鉄骨鉄筋コンクリート柱１１を構築する方法を以下に例示するが、本発明に係る鉄骨柱の固定方法は、少なくとも以下に記載する工程（１）、工程（３）、及び工程（５）を有するものであり、工程（２）、工程（４）及び工程（６）については、必要に応じて実施するようにしても良く、またこれらの工程（１）〜（６）以外の工程を必要に応じて追加しても良い。
【００１８】
（１）基礎２におけるアンカー鉄筋６の埋設工程
先ず、図３に示されるように、型枠（図示せず）を配置固定して、その型枠内に４本のアンカー鉄筋６と複数の柱主筋５を配置する。このとき、４本のアンカー鉄筋６を、鉄骨柱のベースプレートの設置予定箇所９を囲むように各アンカー鉄筋６間に所定の間隔を空けた状態で、設置予定箇所９の外側に配置すると共に、アンカー鉄筋６のさらに外側に複数の柱主筋５を配置する。
次いで、型枠（図示せず）内にコンクリートを打設して基礎２を構築する際、アンカー鉄筋６を、その一部（露出部６ａ）を基礎２の上方に露出した状態にしてコンクリートに埋設すると共に、アンカー鉄筋６の露出部６ａが、設置予定箇所９の外側に位置するようにする。尚、柱主筋５は、アンカー鉄筋６と同様に、その一端側が基礎２内に埋設されると共に、その他端側が基礎２の上方に露出する。
【００１９】
（２）水平モルタル層１５の設置工程
次いで、図４に示されるように、基礎２の天端面における鉄骨柱３のベースプレート４の設置予定箇所９に、鉄骨柱３を水平に設置するための水平モルタル層１５を設ける。
【００２０】
（３）鉄骨柱３の設置工程
次いで、図４に示されるように、鉄骨柱３のベースプレート４を水平モルタル層１５上に載置して、鉄骨柱３を水平モルタル層１５上に立設する。本発明においては、アンカー鉄筋６の露出部６ａが、基礎２の天端面上における鉄骨柱３のベースプレート４の設置予定箇所（水平モルタル層１５）の外側に位置するため、鉄骨柱３のベースプレート４を当該設置予定箇所（水平モルタル層１５）上に載置する際、アンカー鉄筋６の露出部６ａと干渉しないように設置することができる。
【００２１】
（４）後施工アンカー７による仮留め工程
次いで、図４及び図２（ｂ）に示されるように、鉄骨柱３のベースプレート４に設けられている複数の貫通孔４ａを介して、複数のアンカー穴１０を公知の方法で基礎２に穿孔した後、後施工アンカー７をベースプレート４の貫通孔４ａからアンカー穴１０内に挿入して、鉄骨柱３のベースプレート４を基礎２上に仮留めする（この仮留め工程を実施することによって、以下に記載する鉄骨柱３のベースプレート４とアンカー鉄筋６の露出部６ａとの連結工程がより実施し易くなる）。
【００２２】
（５）鉄骨柱３のベースプレート４とアンカー鉄筋６の露出部６ａとの連結工程
次いで、図５に示されるように、鉄骨柱３のベースプレート４を、基礎２上に仮留めした状態において、鉄骨柱３のベースプレート４と連結用プレート８の下端部８ａとを溶接すると共に、アンカー鉄筋６の露出部６ａと連結用プレート８の側面部８ｂとを溶接することによって、鉄骨柱３のベースプレート４とアンカー鉄筋６の露出部６ａとを連結用プレート８を介して連結する。
【００２３】
（６）コンクリート打設工程
最後に、図１及ぶ図２に示すように、鉄骨柱３、及び柱主筋５を型枠（図示せず）で囲み、この型枠内にコンクリートＣを打設することによって、鉄骨柱３及び柱主筋５をコンクリートＣに埋設して、基礎２上に鉄骨鉄筋コンクリート柱１１を構築する。
【００２４】
以上より、本発明によれば、上記工程（１）においてコンクリート打設の衝撃によってアンカー鉄筋６が所定位置より多少ずれた場合であっても、アンカー鉄筋６の露出部６ａが、ベースプレート４の設置予定箇所９の外側に位置していれば、上記工程（５）によって連結用プレート８を介して、鉄骨柱３のベースプレート４とアンカー鉄筋６とを連結することが可能である。
そのため、従来の鉄骨柱の固定方法とは異なり、基礎２におけるアンカー鉄筋６の高い配置精度は要求されず、施工性が良い。
【００２５】
〔その他の実施形態〕
１．前述の実施形態においては、一本の鉄骨柱３に対して４本のアンカー鉄筋６を使用する構成としてあるが、特にこの構成に限定されるものでなく、アンカー鉄筋６の数やその設置位置等に関しては、必要に応じて任意の構成を採用することができる。
２．前述の実施形態における鉄骨柱３のベースプレート４とアンカー鉄筋６の露出部６ａとの連結用プレート８を介する連結は、溶接に限定されるものではなく、他にも例えば、連結部材として、連結用プレートに２つの貫通孔（長孔）を設けたものを用意すると共に、鉄骨柱３のベースプレート４にボルト取付用のボルト孔を設けてボルトを取付け、連結用プレートの２つの貫通孔（長孔）にそれぞれ、ボルトとアンカー鉄筋６の露出部６ａを挿通させてナットで締結するような構成としても良い。
【００２６】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２７】
【図１】本発明に係る鉄骨柱の固定構造を模式的に示した一部切り欠き斜視図
【図２】本発明に係る鉄骨柱の固定構造を模式的に示した横断平面図（ａ）及び、横断平面図（ａ）の矢視線ＩＩｂにおける縦断側面図（ｂ）
【図３】本発明に係る鉄骨柱の固定方法を模式的に示した斜視図
【図４】本発明に係る鉄骨柱の固定方法を模式的に示した斜視図
【図５】本発明に係る鉄骨柱の固定方法を模式的に示した斜視図
【図６】従来の鉄骨柱の固定方法及び固定構造を模式的に示した横断平面図（ａ）及び、横断平面図（ａ）の矢視線ＶＩｂにおける縦断側面図（ｂ）
【符号の説明】
【００２８】
１  鉄骨柱の固定構造
２  基礎（コンクリート構造物）
２ａ  天端面
３  鉄骨柱
３ａ  ウェブ
３ｂ  フランジ
４  ベースプレート
４ａ  貫通孔
５  柱主筋
６  アンカー鉄筋（アンカー部材）
６ａ  露出部
７  後施工アンカー
８  連結用プレート（連結部材）
８ａ  下端部
８ｂ  側面部
９  設置予定箇所
１０  アンカー穴
１１  鉄骨鉄筋コンクリート柱
１２  雄ねじ部を有するアンカー部材
１２ａ  雄ねじ部
１３  アンカー貫通孔
１４  ナット
１５  水平モルタル層
Ｃ  コンクリート
【図１】
2009287212.tif 000003
【図２】
2009287212.tif 000004
【図３】
2009287212.tif 000005
【図４】
2009287212.tif 000006
【図５】
2009287212.tif 000007
【図６】
2009287212.tif 000008